(57)【要約】【課題】各種のサービス形態に柔軟に対応することができるようにする。【解決手段】放送局１により携帯放送サービスが提供される。放送局１から送信されるストリームに付加されるPSIにはディジタルコピー制御記述子が含まれる。ディジタルコピー制御記述子の「copy_control_type」の値には、従来より用いられている01b，11bの他、10bもさらに用いられる。携帯受信機２においては、ディジタルコピー制御記述子が解析され、「copy_control_type」が10bであると判定された場合、「security_type」の意味に従ってコンテンツの記録、または出力が制御される。「security_type」により、内部のメモリにのみコンテンツを記録することが許可され、外部の出力は不許可とすることなどの、携帯放送サービスに応じた制限が表される。本発明は、ディジタル放送を受信可能な受信機に適用することができる。【選択図】図２
2010268481.tif 000002
【特許請求の範囲】
【請求項１】
携帯受信機にコンテンツを送信し、ディジタル放送の所定のサービスを提供する送信装置と、前記所定のサービスを利用可能な携帯受信機とからなる放送システムにおいて、
前記送信装置は、
前記コンテンツの著作権情報により設定された記録または出力の制限に関する第１の制限情報として、前記所定のサービス以外のサービスで用いられているものと異なる値を設定する第１の設定手段と、
前記第１の制限情報が前記所定のサービス以外のサービスで用いられているものと異なる値をとることが前記携帯受信機において判定された場合に前記携帯受信機により用いられる、前記コンテンツの著作権情報により設定された記録または出力の制限に関する第２の制限情報を設定する第２の設定手段と
を備え、
前記携帯受信機は、
前記第１の制限情報が、前記所定のサービス以外のサービスで用いられているものと異なる値をとるか否かを判定する判定手段と、
前記判定手段により、前記第１の制限情報が前記所定のサービス以外のサービスで用いられているものと異なる値をとると判定された場合、前記第２の制限情報に基づいて前記コンテンツの記録または出力を制御する制御手段と
を備える放送システム。
【請求項２】
携帯受信機にコンテンツを送信し、ディジタル放送の所定のサービスを提供する送信装置において、
前記コンテンツの著作権情報により設定された記録または出力の制限に関する第１の制限情報として、前記所定のサービス以外のサービスで用いられているものと異なる値を設定する第１の設定手段と、
前記第１の制限情報が前記所定のサービス以外のサービスで用いられているものと異なる値をとることが前記携帯受信機において判定された場合に前記携帯受信機により用いられる、前記コンテンツの著作権情報により設定された記録または出力の制限に関する第２の制限情報を設定する第２の設定手段と
を備える送信装置。
【請求項３】
携帯受信機にコンテンツを送信し、ディジタル放送の所定のサービスを提供する送信装置の送信方法において、
前記コンテンツの著作権情報により設定された記録または出力の制限に関する第１の制限情報として、前記所定のサービス以外のサービスで用いられているものと異なる値を設定する第１の設定ステップと、
前記第１の制限情報が前記所定のサービス以外のサービスで用いられているものと異なる値をとることが前記携帯受信機において判定された場合に前記携帯受信機により用いられる、前記コンテンツの著作権情報により設定された記録または出力の制限に関する第２の制限情報を設定する第２の設定ステップと
を含む送信方法。
【請求項４】
携帯受信機にコンテンツを送信し、ディジタル放送の所定のサービスを提供する処理をコンピュータに実行させるプログラムにおいて、
前記コンテンツの著作権情報により設定された記録または出力の制限に関する第１の制限情報として、前記所定のサービス以外のサービスで用いられているものと異なる値を設定する第１の設定ステップと、
前記第１の制限情報が前記所定のサービス以外のサービスで用いられているものと異なる値をとることが前記携帯受信機において判定された場合に前記携帯受信機により用いられる、前記コンテンツの著作権情報により設定された記録または出力の制限に関する第２の制限情報を設定する第２の設定ステップと
を含む処理をコンピュータに実行させるプログラム。
【請求項５】
ディジタル放送の所定のサービスを利用可能な携帯受信機において、
コンテンツとともに送信されてくる、前記コンテンツの著作権情報により設定された記録または出力の制限に関する第１の制限情報が、前記所定のサービス以外のサービスで用いられているものと異なる値をとるか否かを判定する判定手段と、
前記判定手段により、前記第１の制限情報が前記所定のサービス以外のサービスで用いられているものと異なる値をとると判定された場合、前記所定のサービスで規定される、前記コンテンツの著作権情報により設定された記録または出力の制限に関する第２の制限情報に基づいて前記コンテンツの記録または出力を制御する制御手段と
を備える携帯受信機。
【請求項６】
前記第２の制限情報は、前記コンテンツのセキュア記録または出力に暗号化処理が必要であるか否かを表す
請求項５に記載の携帯受信機。
【請求項７】
前記第２の制限情報は、さらに、前記携帯受信機に内蔵される記録部にのみ前記コンテンツをセキュア記録することを許可し、かつ、前記コンテンツを外部に出力することを不許可とすることを表す
請求項５に記載の携帯受信機。
【請求項８】
ディジタル放送の所定のサービスを利用可能な携帯受信機の受信方法において、
コンテンツとともに送信されてくる、前記コンテンツの著作権情報により設定された記録または出力の制限に関する第１の制限情報が、前記所定のサービス以外のサービスで用いられているものと異なる値をとるか否かを判定する判定ステップと、
前記判定ステップの処理により、前記第１の制限情報が前記所定のサービス以外のサービスで用いられているものと異なる値をとると判定された場合、前記所定のサービスで規定される、前記コンテンツの著作権情報により設定された記録または出力の制限に関する第２の制限情報に基づいて前記コンテンツの記録または出力を制御する制御ステップと
を含む受信方法。
【請求項９】
ディジタル放送の所定のサービスを利用するための受信処理をコンピュータに実行させるプログラムにおいて、
コンテンツとともに送信されてくる、前記コンテンツの著作権情報により設定された記録または出力の制限に関する第１の制限情報が、前記所定のサービス以外のサービスで用いられているものと異なる値をとるか否かを判定する判定ステップと、
前記判定ステップの処理により、前記第１の制限情報が前記所定のサービス以外のサービスで用いられているものと異なる値をとると判定された場合、前記所定のサービスで規定される、前記コンテンツの著作権情報により設定された記録または出力の制限に関する第２の制限情報に基づいて前記コンテンツの記録または出力を制御する制御ステップと
を含む処理をコンピュータに実行させるプログラム。
【発明の詳細な説明】
【技術分野】
【０００１】
本発明は、放送システム、送信装置および送信方法、携帯受信機および受信方法、並びにプログラムに関し、特に、各種のサービス形態に柔軟に対応することができるようにする放送システム、送信装置および送信方法、携帯受信機および受信方法、並びにプログラムに関する。
【背景技術】
【０００２】
現在のディジタル放送におけるプログラム（コンテンツ）の著作権情報は、ディジタルコピー制御記述子（digital_copy_control_descriptor）が、トランスポートストリームに多重化されるPSI(Program Specific Information)のPMT(Program Map Table)の中に挿入されることで定義される。
【０００３】
すなわち、ディジタルコピー制御記述子は、コンテンツの権利者がコンテンツのコピーに関する情報を受信機側の機器に伝えるために用いられるものである。
【０００４】
図１は、ディジタルコピー制御記述子のデータ構造を示す図である。ディジタルコピー制御記述子を構成するデータのうち、図１の上から４行目の「digital_recording_control_data」と７行目の「copy_control_type」について説明する。
【０００５】
「digital_recording_control_data」はコンテンツの著作権情報として、コピーの世代を制御する情報である。
【０００６】
「digital_recording_control_data」の２ビットが00bである場合、それは、「制約条件なしにコピー可」であることを表し、10bである場合、「１世代のみコピー可」を表す。また、11bである場合、それは「コピー禁止」を表す。
【０００７】
「copy_control_type」は保護の仕組みを表す。この２ビットの「copy_control_type」には01b，11bが定義されている。
【０００８】
具体的には、「copy_control_type」が01bであり、「digital_recording_control_data」が「制約条件なしにコピー可」（00b）以外である場合、受信機からIEEE(Institute of Electrical and Electronics Engineers)1394を介してディジタル出力する際には、DTLA(Digital Transmission Licensing Administrator)がライセンスするDTCP(Digital Transmission Content Protection)方式の暗号出力処理が要求される。
【０００９】
すなわち、第１の機器が、IEEE1394で接続された第２の機器にコンテンツをディジタル出力する場合、第１の機器は、その出力の前に、第２の機器がDTCPの保護情報に対応しているか否かの認証を行い、認証が成立したとき、認証のときに交換したキーを用いて暗号化したコンテンツを第２の機器に出力する。第２の機器においては、交換したキーにより復号処理が行われ、コンテンツが取得される。
【００１０】
一方、「copy_control_type」が11bである場合、暗号化出力が定義されていないことから、「digital_recording_control_data」が「制約条件なしにコピー可」以外である場合は、IEEE1394によるディジタル出力が運用上禁止されている。
【００１１】
このような情報を含むディジタルコピー制御記述子は、現在のBS/広帯域CS(Broadcasting Satellite/Communications Satellite)ディジタル放送と地上波ディジタル放送共通で使われている。BS/広帯域CS、または地上波による現在のディジタル放送のサービスは、大きく分けて、テレビジョン放送サービス、音楽（ラジオ）放送サービス、データ放送サービスの３つに区分されており、サービスによって著作権保護の運用が変わっている。
【００１２】
例えば、BS/広帯域CSディジタル放送、地上波ディジタル放送の双方とも、テレビジョン放送サービスにおいては、「copy_control_type」は01bのみを採用することが運用規定上定められている。また、音楽放送サービス、及びデータ放送サービスにおいては、「copy_control_type」は01b，11bの双方を採用することが定められている。
【００１３】
なお、ディジタルコピー制御記述子については、「ARIB(Association of Radio Industries and Businesses) TR-B14」、「ARIB TR-B15」にその詳細が記載されている。
【００１４】
２００４年４月からディジタル放送のコンテンツが、多くのテレビ放送局において「制限条件なしにコピー可」から「１世代のみコピー可」に運用可能となった（「digital_recording_control_data」が00bから10bになった）。これと同時に放送伝送路もセキュリティを保護するためのスクランブルが施されていることから、コンテンツを利用するためには、スクランブルを解くキーを生成するためのB-CAS（商標）カードが受信機に挿入されている必要がある。
【００１５】
現在、地上波ディジタル放送、BSディジタル放送は、いずれも、家庭の中のテレビジョン受像機、またはSTB(Set Top Box)を受信対象としている。ユーザは、B-CASカードが挿入されているそれらの機器を用いて、画像、音声とも高品質なHD(High Definition)コンテンツを視聴することができる。
【００１６】
一方、地上波ディジタル放送の大きなメリットの一つとして、「１セグメント放送」と呼ばれる携帯放送サービスが可能であることがある。これは、各家庭に設置されているような固定のアンテナを必要とせず、携帯電話機やPDA(Personal Digital Assistants)などの、持ち運びが可能で比較的小型のアンテナを持つ携帯受信機等を対象とする放送サービスである。
【００１７】
これにより、ユーザは、外出先などでもディジタル放送を楽しめることができる。携帯放送サービスにおいても、家庭内の機器向けのサービスと同様のサービスが各種提案されており、その中には、例えば、携帯受信機の内蔵のリムーバブルメモリ媒体に記録させておいたコンテンツを外部機器のリムーバブルメモリスロットに入れ替える事により、その外部の機器を用いてコンテンツを視聴することなどがある。
【００１８】
従って、このような携帯受信機によるコンテンツの記録や出力に対しても、上述した、家庭内に設置される受信機の場合と同様、コンテンツの著作権保護の観点からコピー制限技術が必要になる。
【００１９】
特許文献１には、コンテンツ提供者が、ユーザによるコンテンツのムーブ、ポーズを制限することができるようにした技術が開示されている。
【先行技術文献】
【特許文献】
【００２０】
【特許文献１】特開２００３−１６７２５号公報
【発明の概要】
【発明が解決しようとする課題】
【００２１】
しかしながら、著作権保護の従来の運用では、受信機と外部機器をディジタル接続する場合にコピーの制限を行うと同時にスクランブル放送を行っている。
【００２２】
著作権保護の従来の運用をそのまま携帯放送サービスに用いた場合、携帯受信機でスクランブル放送を受信し、スクランブルを解除させるためには、携帯受信機にもB-CASカードが挿入されている必要がある。
【００２３】
従って、このようにB-CASカードが必須であるとすると、当然、携帯受信機にカードスロットが必要となり、本体のサイズが現在のものと較べて大きくなってしまうとともに、カードを抜き差しするための機構を設けることにより本体のデザインに大きく影響が及ぶことになる。
【００２４】
すなわち、「digital_copy_control_descriptor」の従来の運用では、実質的に、コピーを制限しつつ、携帯受信機に記録させたコンテンツを外部の機器にディジタル出力するなどの、新しい形態のサービスに対応することができないという課題があり、小さなカード、或いは、スクランブル放送を行わずにコピー制限ができるCAS(Conditional Access System)方式などが望まれている。
【００２５】
本発明はこのような状況に鑑みてなされたものであり、各種のサービス形態に柔軟に対応することができるようにするものである。
【課題を解決するための手段】
【００２６】
本発明の放送システムは、携帯受信機にコンテンツを送信し、ディジタル放送の所定のサービスを提供する送信装置と、所定のサービスを利用可能な携帯受信機とからなる。そのうちの送信装置は、コンテンツの著作権情報により設定された記録または出力の制限に関する第１の制限情報として、所定のサービス以外のサービスで用いられているものと異なる値を設定する第１の設定手段と、第１の制限情報が所定のサービス以外のサービスで用いられているものと異なる値をとることが携帯受信機において判定された場合に携帯受信機により用いられる、コンテンツの著作権情報により設定された記録または出力の制限に関する第２の制限情報を設定する第２の設定手段とを備える。一方、携帯受信機は、第１の制限情報が、所定のサービス以外のサービスで用いられているものと異なる値をとるか否かを判定する判定手段と、判定手段により、第１の制限情報が所定のサービス以外のサービスで用いられているものと異なる値をとると判定された場合、第２の制限情報に基づいてコンテンツの記録または出力を制御する制御手段とを備える。
【００２７】
本発明の送信装置は、携帯受信機にコンテンツを送信し、ディジタル放送の所定のサービスを提供する送信装置であって、コンテンツの著作権情報により設定された記録または出力の制限に関する第１の制限情報として、所定のサービス以外のサービスで用いられているものと異なる値を設定する第１の設定手段と、第１の制限情報が所定のサービス以外のサービスで用いられているものと異なる値をとることが携帯受信機において判定された場合に携帯受信機により用いられる、コンテンツの著作権情報により設定された記録または出力の制限に関する第２の制限情報を設定する第２の設定手段とを備える。
【００２８】
本発明の送信方法は、携帯受信機にコンテンツを送信し、ディジタル放送の所定のサービスを提供する送信装置の送信方法であって、コンテンツの著作権情報により設定された記録または出力の制限に関する第１の制限情報として、所定のサービス以外のサービスで用いられているものと異なる値を設定する第１の設定ステップと、第１の制限情報が所定のサービス以外のサービスで用いられているものと異なる値をとることが携帯受信機において判定された場合に携帯受信機により用いられる、コンテンツの著作権情報により設定された記録または出力の制限に関する第２の制限情報を設定する第２の設定ステップとを含む。
【００２９】
本発明の第１のプログラムは、携帯受信機にコンテンツを送信し、ディジタル放送の所定のサービスを提供する処理をコンピュータに実行させるプログラムであって、コンテンツの著作権情報により設定された記録または出力の制限に関する第１の制限情報として、所定のサービス以外のサービスで用いられているものと異なる値を設定する第１の設定ステップと、第１の制限情報が所定のサービス以外のサービスで用いられているものと異なる値をとることが携帯受信機において判定された場合に携帯受信機により用いられる、コンテンツの著作権情報により設定された記録または出力の制限に関する第２の制限情報を設定する第２の設定ステップとを含む処理をコンピュータに実行させる。
【００３０】
本発明の携帯受信機は、ディジタル放送の所定のサービスを利用可能な携帯受信機であって、コンテンツとともに送信されてくる、コンテンツの著作権情報により設定された記録または出力の制限に関する第１の制限情報が、所定のサービス以外のサービスで用いられているものと異なる値をとるか否かを判定する判定手段と、判定手段により、第１の制限情報が所定のサービス以外のサービスで用いられているものと異なる値をとると判定された場合、所定のサービスで規定される、コンテンツの著作権情報により設定された記録または出力の制限に関する第２の制限情報に基づいてコンテンツの記録または出力を制御する制御手段とを備える。
【００３１】
第２の制限情報は、コンテンツのセキュア記録または出力に暗号化処理が必要であるか否かを表すようにすることができる。
【００３２】
第２の制限情報は、さらに、携帯受信機に内蔵される記録部にのみコンテンツをセキュア記録することを許可し、かつ、コンテンツを外部に出力することを不許可とすることを表するようにすることができる。
【００３３】
本発明の受信方法は、ディジタル放送の所定のサービスを利用可能な携帯受信機の受信方法であって、コンテンツとともに送信されてくる、コンテンツの著作権情報により設定された記録または出力の制限に関する第１の制限情報が、所定のサービス以外のサービスで用いられているものと異なる値をとるか否かを判定する判定ステップと、判定ステップの処理により、第１の制限情報が所定のサービス以外のサービスで用いられているものと異なる値をとると判定された場合、所定のサービスで規定される、コンテンツの著作権情報により設定された記録または出力の制限に関する第２の制限情報に基づいてコンテンツの記録または出力を制御する制御ステップとを含む。
【００３４】
本発明の第２のプログラムは、ディジタル放送の所定のサービスを利用するための受信処理をコンピュータに実行させるプログラムであって、コンテンツとともに送信されてくる、コンテンツの著作権情報により設定された記録または出力の制限に関する第１の制限情報が、所定のサービス以外のサービスで用いられているものと異なる値をとるか否かを判定する判定ステップと、判定ステップの処理により、第１の制限情報が所定のサービス以外のサービスで用いられているものと異なる値をとると判定された場合、所定のサービスで規定される、コンテンツの著作権情報により設定された記録または出力の制限に関する第２の制限情報に基づいてコンテンツの記録または出力を制御する制御ステップとを含む処理をコンピュータに実行させる。
【００３５】
本発明の放送システムにおいては、コンテンツの記録または出力の制限に関する第１の
制限情報として、所定のサービス以外のサービスで用いられているものと異なる値が設定
され、第１の制限情報が所定のサービス以外のサービスで用いられているものと異なる値
をとることが携帯受信機において判定された場合に携帯受信機により用いられる、コンテ
ンツの著作権情報により設定された記録または出力の制限に関する第２の制限情報が設定
される。また、第１の制限情報が、所定のサービス以外のサービスで用いられているものと異なる値をとるか否かが判定され、第１の制限情報が所定のサービス以外のサービスで用いられているものと異なる値をとると判定された場合、第２の制限情報に基づいてコンテンツの記録または出力が制御される。
【００３６】
本発明の送信装置および送信方法、並びに第１のプログラムにおいては、コンテンツの著作権情報により設定された記録または出力の制限に関する第１の制限情報として、所定のサービス以外のサービスで用いられているものと異なる値が設定され、第１の制限情報が所定のサービス以外のサービスで用いられているものと異なる値をとることが携帯受信機において判定された場合に携帯受信機により用いられる、コンテンツの著作権情報により設定された記録または出力の制限に関する第２の制限情報が設定される。
【００３７】
本発明の携帯受信機および受信方法、並びに第２のプログラムにおいては、コンテンツとともに送信されてくる、コンテンツの著作権情報により設定された記録または出力の制限に関する第１の制限情報が、所定のサービス以外のサービスで用いられているものと異なる値をとるか否かが判定され、第１の制限情報が所定のサービス以外のサービスで用いられているものと異なる値をとると判定された場合、所定のサービスで規定される、コンテンツの著作権情報により設定された記録または出力の制限に関する第２の制限情報に基づいてコンテンツの記録または出力が制御される。
【発明の効果】
【００３８】
本発明によれば、各種のサービス形態に柔軟に対応することができる。
【図面の簡単な説明】
【００３９】
【図１】従来のディジタルコピー制御記述子のデータ構造を示す図である。
【図２】本発明を適用した放送システムの構成例を示す図である。
【図３】図２の放送システムで用いられるディジタルコピー制御記述子のデータ構造の例を示す図である。
【図４】digital_recording_control_dataの意味を示す図である。
【図５】copy_control_typeの意味を示す図である。
【図６】security_typeの意味を示す図である。
【図７】送信装置の構成例を示すブロック図である。
【図８】図７の制御部の機能構成例を示すブロック図である。
【図９】携帯受信機の構成例を示すブロック図である。
【図１０】図９の携帯受信機の機能構成例を示すブロック図である。
【図１１】送信装置の送信処理について説明するフローチャートである。
【図１２】携帯受信機の受信処理について説明するフローチャートである。
【図１３】携帯受信機の他の受信処理について説明するフローチャートである。
【図１４】パーソナルコンピュータの構成例を示すブロック図である。
【発明を実施するための形態】
【００４０】
図２は、本発明を適用した放送システムの構成例を示す図である。
【００４１】
この放送システムは、基本的には、放送局１（放送局１に設置される送信装置１１（図７））、携帯受信機２、受信機３から構成される。
【００４２】
放送局１は、例えば、テレビジョン放送サービス、データ放送サービスなどの地上波ディジタル放送の各種のサービスを提供する。放送局１により提供されるサービスには、例えば、家庭に設置された受信機向けのサービスだけでなく、携帯機向けのサービスも含まれる。
【００４３】
これらのサービスは、放送局１から送信されるストリームに多重化されるPSI(Program Specific Information)に記述されるサービスタイプにより識別される。
【００４４】
携帯受信機２は、いわゆる「１セグメント放送」に対応した、地上波ディジタル放送のチューナ内蔵の受信機（携帯機）である。「１セグメント放送」は、従来のアナログ放送１チャネルにあたる６MHzの帯域を、１３の「セグメント」に分割したうちの１セグメントを用いて行われる、携帯電話機やPDA(Personal Digital Assistants)などの携帯向けの放送である。
【００４５】
従って、ユーザは、携帯受信機２を用いることによって、外出先から放送局１より提供される携帯機向けのサービスを利用し、テレビジョン番組を視聴したりすることができる。また、携帯受信機２のユーザは、携帯受信機２に内蔵されるメモリにテレビジョン番組などのコンテンツを記録（コピー）させておき、リアルタイムではなくタイムシフトさせた形で、コンテンツを携帯受信機２に出力させて、或いは、IEEE(Institute of Electrical and Electronics Engineers)1394を介して携帯受信機２と接続される外部の機器にディジタル出力させて視聴したりすることもできる。
【００４６】
コンテンツの記録や出力は、後に詳述するように、PSIのPMT(Program Map Table)に挿入されるディジタルコピー制御記述子（digital_copy_control_descriptor）の記述に従って行われる。
【００４７】
ディジタルコピー制御記述子の従来の運用では、受信機と外部機器のディジタル接続にDTCPの著作権保護技術を採用する事を前提に出力を許可しつつコピーを制限している。また、放送局１からの放送もスクランブル放送によりセキュリティを守る必要があることからB-CASカードが受信機に挿入されていなければ放送受信を実現することができない。一方、携帯受信機２においては、B-CASカードが挿入されていなくても、放送受信を実現することができるようになされている。
【００４８】
受信機３は、住宅Ｈに設置される地上波ディジタル放送の受信機である。受信機３には、テレビジョン受像機４および固定のアンテナ５が接続されており、ユーザは、放送局１から提供されるサービスを受信機３を用いて利用することができる。受信機３にはB-CASカードが挿入されており、同時にARIB(Association of Radio Industries and Businesses)（例えば、「ARIB TR-B10」）に規定されるディジタルコピー制御記述子の記述に従って、コンテンツの記録、出力を行うことができるようになされている。
【００４９】
ここで、ディジタルコピー制御記述子について説明する。
【００５０】
図３は、図２の放送システムで用いられるディジタルコピー制御記述子のデータ構造の例を示す図である。
【００５１】
従来のディジタルコピー制御記述子では、それに含まれる２ビットの「copy_control_type」として01b，11bが定義されているが、図３のディジタルコピー制御記述子では、10bもさらに定義されている点が従来のものと相違する。10bの「copy_control_type」は、携帯放送サービスにおけるコンテンツの記録、出力を制限するために特に用いられる。
【００５２】
図３のデータ構造のうちの上から２行目に示す８ビットの「descriptor_tag」は、ディジタルコピー制御記述子であることを識別するために用いられる。３行目に示す８ビットの「descriptor_length」は、ディジタルコピー制御記述子の記述子長を表す。
【００５３】
４行目に示す２ビットの「digital_recording_control_data」は、受信機、またはそれに接続された外部の機器によるコンテンツの著作権情報を表し、コンテンツのコピーを制御する情報である。「digital_recording_control_data」のそれぞれの値の意味を図４に示す。
【００５４】
図４に示すように、「digital_recording_control_data」が00bである場合、それは、「制約条件なしにコピー可」を表し、10bである場合、「１世代のみコピー可」を表す。また、11bである場合、それは「コピー禁止」を表す。なお、01bは、利用者が任意に定義することができるようになされている。
【００５５】
図３の説明に戻り、５行目に示す１ビットの「maximum_bit_rate_flag」は、サービスの最大伝送レートを記述するか否かを表す。「maximum_bit_rate_flag」が０である場合、それは、最大伝送レートを記述しないことを表し、１である場合、最大伝送レートを記述することを表す。
【００５６】
６行目に示す１ビットの「component_control_flag」は、その値が０の場合、ディジタルコピー制御情報は番組全体について規定され、コンポーネント制御長以降のフィールドは存在しないことを表す。PMTに当該記述子が記載される場合は、このフラグは使用されない。
【００５７】
７行目に示す２ビットの「copy_control_type」は保護の仕組みを表す。「copy_control_type」のそれぞれの値の意味を図５に示す。
【００５８】
図５に示すように、「copy_control_type」が01bである場合、それは、「digital_recording_control_data」が「制約条件なしにコピー可」（00b）以外である場合、受信機のIEEE1394のディジタル出力にはDTLA(Digital Transmission Licensing Administrator)がライセンスするDTCP(Digital Transmission Content Protection)方式の暗号出力処理が要求されることを表す。
【００５９】
また、「copy_control_type」が11bである場合、それは、「digital_recording_control_data」が「制約条件なしにコピー可」以外であるときIEEE1394ディジタル出力が不可であることを表す。
【００６０】
さらに、「copy_control_type」が10bである場合（図３の８行目に示す「if(copy_control_type = 10)」を満たす場合）、それは、図３の９行目に示す２ビットの「security_type」を参照し、その設定に従ってコンテンツの記録、出力を行うことを表す。
【００６１】
この、「copy_control_type」の10bを用いた点、および「security_type」を規定した点が図１のディジタルコピー制御記述子と異なる。当然、「security_type」を参照させるための「copy_control_type」の値として、10bと同様、他のサービスでは用いられていない00bが用いられるようにしてもよい。
【００６２】
「security_type」のそれぞれの値の意味を図６に示す。なお、「security_type」は便宜上付した名称であり、「security_type」と同様にコンテンツの記録、出力の制限を表すことができるものであれば、その名称はどのようなものであってもよい。
【００６３】
図６に示すように、「security_type」が00bの場合、それは、「ディジタル記録およびディジタル出力にセキュリティが要求されない」ことを表し、01bの場合、それは、「ディジタル記録およびディジタル出力にセキュリティが要求される」ことを表す。ここで、セキュリティとは、上述した、DTCP方式の暗号出力処理等のことをいう。
【００６４】
また、「security_type」が10bの場合、それは、「内蔵セキュリティ記録のみ可能。ディジタル出力は不可」であることを表す。11bは「resesrved_future_use」であり、将来の拡張のために用いられる。
【００６５】
このように「security_type」を新たに規定し、「copy_control_type」を10b、「security_type」を00bと設定することにより、従来の規定では、「digital_recording_control_data」が00b以外である場合、スクランブル出力を行わなければディジタル出力を行うことができない、またコンテンツを記録する場合、セキュリティ記録が必要となることを回避してディジタル記録およびディジタル出力を行うことが可能になる。また、放送においては、スクランブルを施すことによるセキュリティの向上が行われる。
【００６６】
従って、例えば、ディジタル接続された外部の機器に携帯受信機２からコンテンツをディジタル出力することが可能となり、B-CASカードなしに放送受信を行うことが可能になる。
【００６７】
なお、「security_type」の10bは、受信機内蔵の記録媒体にコンテンツを記録させておき、後からコンテンツを利用可能とする、いわゆるサーバ型放送等に用いることができる。また、「security_type」が11bである場合（未定義）、「security_type」の01bと同じ様に、将来の拡張の為のリザーブビットの扱いとすることも可能である。
【００６８】
このように、内蔵記録媒体へのコンテンツの記録、外部機器へのディジタル出力のセキュリティをそれぞれ独立に制限することができるようにすることにより、受信機側でのコンテンツの扱い方の幅を広げることが可能になる。すなわち、放送局１は、多様なサービスを提供することが可能になる。
【００６９】
以上においては、ディジタルの信号の扱いについて説明したが、受信機からのアナログ出力については、従来の規定と同じ運用を課すこと（図１の「APS_control_data」の値に従うこと）、また、ディジタルコンテンツの扱いと同様、別の運用を課すことも可能である。
【００７０】
以上のようなディジタルコピー制御記述子を用いてコンテンツの記録または出力を制限する放送局１の送信装置１１と、携帯受信機２の処理についてはフローチャートを参照して後述する。
【００７１】
図７は、送信装置１１の構成例を示すブロック図である。
【００７２】
制御部２１は、所定のプログラムに従って送信装置１１の全体の動作を制御する。例えば、制御部２１は、符号器２２−１乃至２２−ｎを制御してテレビジョン番組のビデオ信号、オーディオ信号の符号化処理、圧縮処理を行わせるとともに、パケットエンコーダ２３−１乃至２３−ｎを制御して、符号器２２−１乃至２２−ｎのそれぞれの出力のパケット化処理を行わせる。また、制御部２１は、ディジタルコピー制御記述子を含むPMTなどのPSIを生成し、生成したPSI等の付加情報を多重化部２４に出力する。
【００７３】
符号器２２−１乃至２２−ｎは、図示せぬ供給部から供給されてくるビデオ信号、オーディオ信号の符号化処理、および、例えば、MPEG-AVC/H.264(Moving Picture Experts Group-Advanced Video Coding/H.264)方式による圧縮処理を行い、得られたデータをパケットエンコーダ２３−１乃至２３−ｎにそれぞれ出力する。
【００７４】
パケットエンコーダ２３−１乃至２３−ｎは、それぞれ、符号器２２−１乃至２２−ｎから供給されてきたビデオデータ、オーディオデータに対してパケット化処理を施し、得られたパケットを多重化部２４に出力する。
【００７５】
多重化部２４は、パケットエンコーダ２３−１乃至２３−ｎから供給されてきたパケットと、制御部２１から供給されてきた付加情報を多重化し、得られたストリームをディジタル変調回路２５に出力する。多重化部２４においては、必要に応じて、コンテンツのスクランブルも行われる。なお、制御部２１から供給されてくる付加情報のPSIには、PMTの他、PAT(Program Association Table)、NIT(Network Information Table)、CAT(Conditional Access Table)も含まれる。
【００７６】
ディジタル変調回路２５は、多重化部２４から供給されてきたストリームに対してディジタル変調処理を施し、得られた放送信号をアンテナ２６から送信する。
【００７７】
図８は、制御部２１の機能構成例を示すブロック図である。図８の構成の少なくとも一部は、制御部２１により所定のプログラムが実行されることで実現される。
【００７８】
制御部２１は、ディジタルコピー制御情報設定部４１、コピー制御タイプ設定部４２、およびセキュリティタイプ設定部４３から構成される。ディジタルコピー制御情報設定部４１、コピー制御タイプ設定部４２、およびセキュリティタイプ設定部４３には、送信装置１１の管理者などにより入力された制御情報が供給され、この制御情報に基づいてそれぞれの情報の設定が行われる。
【００７９】
ディジタルコピー制御情報設定部４１は、制御情報に基づいてディジタルコピー制御記述子の「digital_recording_control_data」（図４）を設定する。
【００８０】
すなわち、ディジタルコピー制御情報設定部４１には、図３に示す構造のディジタルコピー制御記述子が供給される。ディジタルコピー制御情報設定部４１に供給されるディジタルコピー制御記述子は、「digital_recording_control_data」、「copy_control_type」、「security_type」の値がまだ設定されていないものである。
【００８１】
ディジタルコピー制御情報設定部４１により「digital_recording_control_data」が設定されたディジタルコピー制御記述子はコピー制御タイプ設定部４２に出力される。
【００８２】
コピー制御タイプ設定部４２は、制御情報に基づいてディジタルコピー制御記述子の「copy_control_type」（図５）を設定する。コピー制御タイプ設定部４２により「copy_control_type」が設定されたディジタルコピー制御記述子はセキュリティタイプ設定部４３に出力される。
【００８３】
セキュリティタイプ設定部４３は、制御情報に基づいてディジタルコピー制御記述子の「security_type」（図６）を設定する。セキュリティタイプ設定部４３により「security_type」が設定されたディジタルコピー制御記述子は他のPSIとともに多重化部２４に出力される。
【００８４】
図９は、図２の携帯受信機２の構成例を示すブロック図である。
【００８５】
CPU(Central Processing Unit)５１は、図示せぬROM(Read Only Memory)、またはメモリ５３に記憶されている所定のプログラムを実行し、バス５２を介して携帯受信機２の全体の動作を制御する。例えば、CPU５１は、B/E(Back End)部５６からバス５２を介して供給されてくるPSIの解析を行い、選局しているチャネルのサービスタイプの判定、ディジタルコピー制御記述子の解析等を行う。
【００８６】
フラッシュメモリなどよりなるメモリ５３には、B/E部５６から供給されてくるコンテンツが記録され、記録されたコンテンツは、B/E部５６により必要に応じて読み出される。メモリ５３に対するコンテンツの記録は、ディジタルコピー制御記述子の記述に従って行われる。
【００８７】
F/E(Front/End)部５５は、CPU５１による制御に従って、アンテナ５４で受信された放送信号の選局、変調されている信号を復調する処理、誤り訂正等の処理を行い、得られたストリームをB/E部５６に出力する。
【００８８】
B/E部５６は、CPU５１による制御に従って、F/E部５５から供給されてくるストリームからパケットを分離する処理、復号処理等を行う。B/E部５６により取得されたビデオデータは例えばLCD(Liquid Crystal Display)５７に出力され、コンテンツの画像が表示される。これにより、ユーザは番組を視聴することができる。なお、B/E部５６により取得されたオーディオデータは、アナログ信号に変換された後、図示せぬスピーカやイヤホン端子から出力される。B/E部５６により取得されたデータは、必要に応じて出力部５８にも出力される。
【００８９】
また、B/E部５６は、F/E部５５から供給されてくるストリームに含まれるPSIなどの付加情報をバス５２を介してCPU５１に出力する。
【００９０】
出力部５８は、例えば、IEEE1394などのディジタル出力端子であり、IEEE1394ケーブルを介して接続される外部の機器に、B/E部５６から供給されてきたコンテンツ（ビデオデータ、オーディオデータ）をディジタル出力する。出力部５８から外部の機器に対するディジタル出力も、ディジタルコピー制御記述子の記述に従って行われる。
【００９１】
図１０は、図９の携帯受信機２の機能構成例を示すブロック図である。図１０の構成の少なくとも一部は、CPU５１により所定のプログラムが実行されることにより実現される。
【００９２】
サービスタイプ判定部７１は、B/E部５６から供給されてきたPSIに含まれるNITを参照し、F/E部５５により選局されているチャネルにより提供されるサービスの判定を行う。NITのサービスリストディスクリプタには、テレビジョン放送サービス、音楽放送サービス、データ放送サービスなどの、それぞれのサービスを識別するサービスタイプが記述されている。サービスタイプ判定部７１による判定結果はディジタルコピー制御記述子解析部７２に出力される。
【００９３】
ディジタルコピー制御記述子解析部７２は、B/E部５６から供給されてきたPMTに含まれるディジタルコピー制御記述子を、サービスタイプ判定部７１によるサービスの判定結果を参照して解析する。
【００９４】
例えば、ディジタルコピー制御記述子解析部７２は、選局されているサービスが携帯放送サービスであることがサービスタイプ判定部７１により判定された場合、「digital_recording_control_data」、「copy_control_type」の他、「security_type」の解析も行う。ディジタルコピー制御記述子解析部７２によるディジタルコピー制御記述子の解析結果は記録／出力制御部７３に出力される。
【００９５】
記録／出力制御部７３は、ディジタルコピー制御記述子解析部７２による解析結果に従って、B/E部５６によるコンテンツの記録、出力を制御する。
【００９６】
次に、以上のような構成を有する送信装置１１、携帯受信機２の動作について説明する。
【００９７】
始めに、図１１のフローチャートを参照して、送信装置１１の送信処理について説明する。
【００９８】
制御部２１のディジタルコピー制御情報設定部４１（図８）は、送信装置１１の管理者などにより入力された制御情報に基づいて、ディジタルコピー制御記述子の「digital_recording_control_data」を設定する。
【００９９】
すなわち、ディジタルコピー制御情報設定部４１は、送信するコンテンツを「制約条件なしにコピー可」とする場合、「digital_recording_control_data」に00bを設定し、「１世代のみコピー可」とする場合、10bを設定する。また、ディジタルコピー制御情報設定部４１は、「コピー禁止」とする場合、「digital_recording_control_data」に11bを設定する。
【０１００】
ディジタルコピー制御情報設定部４１により「digital_recording_control_data」が設定されたディジタルコピー制御記述子はコピー制御タイプ設定部４２に出力される。
【０１０１】
ステップＳ２において、コピー制御タイプ設定部４２は、制御情報に基づいて、ディジタルコピー制御記述子の「copy_control_type」を設定する。
【０１０２】
例えば、コピー制御タイプ設定部４２は、ディジタルコピー制御情報設定部４１により設定された「digital_recording_control_data」が「制約条件なしにコピー可」（00b）以外である場合において、受信機のディジタル出力に暗号出力処理を要求する場合、「copy_control_type」に01bを設定する。
【０１０３】
また、コピー制御タイプ設定部４２は、携帯放送サービスのコンテンツを送信する場合、適宜、「copy_control_type」に10bを設定する。これにより、携帯受信機２においては、「security_type」に従ってコンテンツのディジタル記録およびディジタル出力が制限される。
【０１０４】
コピー制御タイプ設定部４２により「copy_control_type」が設定されたディジタルコピー制御記述子はセキュリティタイプ設定部４３に出力される。
【０１０５】
ステップＳ３において、セキュリティタイプ設定部４３は、制御情報に基づいて、ディジタルコピー制御記述子の「security_type」を設定する。
【０１０６】
すなわち、セキュリティタイプ設定部４３は、送信するコンテンツが、ディジタル記録、ディジタル出力の際にセキュリティを要求しないものである場合、「security_type」に00bを設定し、要求する場合、01bを設定する。また、セキュリティタイプ設定部４３は、「内蔵セキュリティ記録のみ可能。ディジタル出力は不可」としてコンテンツが扱われるようにする場合、「security_type」に10bを設定する。
【０１０７】
セキュリティタイプ設定部４３により「security_type」が設定されたディジタルコピー制御記述子は他のPSIとともに多重化部２４に出力される。
【０１０８】
多重化部２４には、制御部２１からのPSIの他、符号器２２−１乃至２２−ｎにより符号化処理、圧縮処理が施され、パケットエンコーダ２３−１乃至２３−ｎによりパケット化処理が施されることにより得られたパケットも供給されている。
【０１０９】
多重化部２４は、ステップＳ４において、それらのパケットと、制御部２１（セキュリティタイプ設定部４３）から供給されてきたPSIを多重化する。多重化部２４により多重化されることで得られたストリームはディジタル変調回路２５に出力される。
【０１１０】
ステップＳ５において、ディジタル変調回路２５は、多重化部２４から供給されてきたストリームに対してディジタル変調処理等を施し、得られた放送信号をアンテナ２６から送信する。
【０１１１】
次に、図１２のフローチャートを参照して、携帯受信機２の受信処理について説明する。
【０１１２】
ステップＳ１１において、F/E部５５は、例えばユーザ操作に従って選局を行い、復調、誤り訂正等の処理を行うことで得られたストリームをB/E部５６に出力する。B/E部５６においてはパケットの分離が行われ、PSI等の情報が、バス５２を介してCPU５１（サービスタイプ判定部７１、ディジタルコピー制御記述子解析部７２（図１０））に出力される。
【０１１３】
ステップＳ１２において、サービスタイプ判定部７１は、B/E部５６から供給されてきたPSIに含まれるNITのサービスタイプを参照し、F/E部５５により選局されているチャネルで提供されるサービスが携帯放送サービスであるか否かを判定する。
【０１１４】
ステップＳ１２において、提供されるサービスが携帯放送サービスではないと判定した場合、サービスタイプ判定部７１は、その判定結果をディジタルコピー制御記述子解析部７２に出力する。このとき、処理はステップＳ１３に進む。
【０１１５】
ステップＳ１３において、ディジタルコピー制御記述子解析部７２は、通常の記録／出力制御処理を行う。
【０１１６】
一方、ステップＳ１２において、選局されているチャネルで提供されるサービスが携帯放送サービスであると判定した場合、サービスタイプ判定部７１は、その判定結果をディジタルコピー制御記述子解析部７２に出力する。
【０１１７】
ステップＳ１４において、ディジタルコピー制御記述子解析部７２は、B/E部５６から供給されてきたPSIを解析し、PMTにディジタルコピー制御記述子があるか否かを判定する。
【０１１８】
ディジタルコピー制御記述子解析部７２は、ステップＳ１４において、PMTにディジタルコピー制御記述子がないと判定した場合、ステップＳ１５に進み、受信されたコンテンツがコピーフリーのコンテンツであるとして、コンテンツの記録、出力等の所定の処理を記録／出力制御部７３に行わせる。すなわち、記録／出力制御部７３によりB/E部５６が制御され、メモリ５３に対するコンテンツの記録、出力部５８からのコンテンツのディジタル出力が行われる。
【０１１９】
ディジタルコピー制御記述子解析部７２は、ステップＳ１４において、PMTにディジタルコピー制御記述子があると判定した場合、そのディジタルコピー制御記述子の「copy_control_type」の解析を行う。
【０１２０】
ステップＳ１６において、ディジタルコピー制御記述子解析部７２は、「copy_control_type」が01bまたは11bであると判定した場合、その判定結果を記録／出力制御部７３に出力する。このとき、処理はステップＳ１３に進む。
【０１２１】
ステップＳ１３において、ディジタルコピー制御記述子解析部７２は、通常の記録／出力制御処理を行う。すなわち、ディジタルコピー制御記述子解析部７２は、「copy_control_type」が01bである場合、「digital_recording_control_data」が「制約条件なしにコピー可」（00b）以外であるときには、ディジタル出力の際に記録／出力制御部７３にIEEE1394ディジタル出力に暗号出力処理を行わせる。また、ディジタルコピー制御記述子解析部７２は、「copy_control_type」が11bである場合、「digital_recording_control_data」が「制約条件なしにコピー可」以外であるときは記録／出力制御部７３にIEEE1394ディジタル出力を禁止させる。
【０１２２】
一方、ディジタルコピー制御記述子解析部７２は、ステップＳ１６において、「copy_control_type」が10bであると判定した場合、ステップＳ１７に進み、「digital_recording_control_data」が00b（「制約条件なしにコピー可」）であるか否かを判定する。
【０１２３】
ステップＳ１７において、「digital_recording_control_data」が00bであると判定した場合、ディジタルコピー制御記述子解析部７２は、ステップＳ１５に進み、受信されたコンテンツがコピーフリーのコンテンツであるとして記録／出力制御部７３に所定の処理を行わせる。
【０１２４】
ディジタルコピー制御記述子解析部７２は、ステップＳ１７において、「digital_recording_control_data」が00bではないと判定した場合、ステップＳ１８に進み、「security_type」の判定を行う。
【０１２５】
ステップＳ１８において、ディジタルコピー制御記述子解析部７２は、「security_type」が10bであると判定した場合、その判定結果を記録／出力制御部７３に出力する。このとき、処理はステップＳ１９に進む。
【０１２６】
記録／出力制御部７３は、ステップＳ１９において、「内蔵セキュリティ記録のみ可能。ディジタル出力は不可」として、受信されたコンテンツを扱う。これにより、例えば、B/E部５６により取得されたコンテンツがメモリ５３に供給され、記録される。本説明において、メモリ５３に記録することを前提にしているが、機器内蔵HDD記録機器、機器内蔵のメモリスティック（商標）等のセキュリティ記録が可能なリムーバブル記録媒体にも記録可能とする。
【０１２７】
一方、ステップＳ１８において、ディジタルコピー制御記述子解析部７２は、「security_type」が01bであると判定した場合、その判定結果を記録／出力制御部７３に出力する。このとき、処理はステップＳ２０に進む。
【０１２８】
記録／出力制御部７３は、ステップＳ２０において、「ディジタル記録およびディジタル出力にセキュリティが要求される」として、受信されたコンテンツを扱う。これにより、例えば、出力部５８を介して接続される外部の機器にコンテンツを出力する場合、その機器との間で、暗号出力処理などが行われることになる。
【０１２９】
ステップＳ１８において、ディジタルコピー制御記述子解析部７２は、「security_type」が00bであると判定した場合、その判定結果を記録／出力制御部７３に出力する。このとき、処理はステップＳ２１に進む。
【０１３０】
記録／出力制御部７３は、ステップＳ２１において、「ディジタル記録およびディジタル出力にセキュリティが要求されない」として、受信されたコンテンツを扱う。これにより、例えば、出力部５８を介して接続される外部の機器にコンテンツを出力する場合、暗号出力処理などが行われることなく、コンテンツが外部の機器に出力される。
【０１３１】
以上のように、「copy_control_type」の10bを新たに用い、「security_type」を携帯受信機２に参照させることにより、各種の形態のサービスに対応させることを可能としつつ、かつ、適切な著作権の管理を図ることができる。
【０１３２】
以上においては、「copy_control_type」の10bを新たに用いることにより上述したような機能を実現し、新たなサービスに対応させる場合について説明したが、従来の「digital_copy_control_descriptor」を変更することなく、新しいサービスに対してのみ有効とされる規定を追加することによって、それを実現することも可能である。
【０１３３】
例えば、「copy_control_type」が01bのとき、それを解析した機器が、「security_type」の01bが意味する「ディジタル記録およびディジタル出力にセキュリティが要求される」と等価なものとしてコンテンツを扱うようにし、また、「copy_control_type」が11bのとき、「security_type」の00bが意味する「ディジタル記録およびディジタル出力にセキュリティが要求されない」と等価なものとしてコンテンツを扱うようにすることにより、従来の「digital_copy_control_descriptor」を変更することなく、新たなサービスに柔軟に対応させることができる。
【０１３４】
このような、従来の「digital_copy_control_descriptor」を変更することなく、機能を追加する場合の携帯受信機２の受信処理について、図１３のフローチャートを参照して説明する。
【０１３５】
ステップＳ３１乃至Ｓ３４の処理は、図１２のステップＳ１１乃至Ｓ１４の処理と同様である。すなわち、ステップＳ３１においてF/E部５５により選局が行われ、ステップＳ３２において、受信されているチャネルで提供されるサービスが携帯放送サービスであることがサービスタイプ判定部７１により判定された場合、処理はステップＳ３４に進む。
【０１３６】
ステップＳ３４において、ディジタルコピー制御記述子解析部７２によりPMTにディジタルコピー制御記述子があると判定された場合、処理はステップＳ３６に進む。
【０１３７】
ステップＳ３６において、ディジタルコピー制御記述子解析部７２は、ディジタルコピー制御記述子の「copy_control_type」を解析し、「copy_control_type」が01bであると判定した場合、ステップＳ３７に進み、「ディジタル記録およびディジタル出力にセキュリティが要求される」として、受信されたコンテンツを扱う。
【０１３８】
すなわち、ディジタルコピー制御記述子解析部７２は、「copy_control_type」の01bを、「security_type」の01bとして読み替えを行っている。
【０１３９】
また、ステップＳ３６において、ディジタルコピー制御記述子解析部７２は、ディジタルコピー制御記述子の「copy_control_type」が11bであると判定した場合、ステップＳ３８に進み、「ディジタル記録およびディジタル出力にセキュリティが要求されない」として、受信されたコンテンツを扱う。
【０１４０】
すなわち、ディジタルコピー制御記述子解析部７２は、「copy_control_type」の11bを、「security_type」の00bとして読み替えを行っている。
【０１４１】
このような読み替えを行うことによっても、従来の「digital_copy_control_descriptor」のまま、新たなサービスに柔軟に対応させることもできる。従来の「digital_copy_control_descriptor」を解析することが可能な受信機に対して読み替えの方法を指定するプログラムがインストールされることで、以上のような読み替えが可能とされるようにしてもよい。
【０１４２】
以上においては、携帯放送サービスの機能を追加する場合について説明したが、同様に、「copy_control_type」の10bと「security_type」を用いて、住宅Ｈに設置される受信機３の機能を追加し、新たなサービスに対応させるようにしてもよい。
【０１４３】
また、以上においては、「security_type」の意味を図６に示すものとしたが、当然、サービスに応じて、他の様々な意味を持たせることも可能である。
【０１４４】
上述した一連の処理は、ハードウェアにより実行させることもできるが、ソフトウェアにより実行させることもできる。この場合、そのソフトウェアを実行させる装置は、例えば、図１４に示されるようなパーソナルコンピュータにより構成される。
【０１４５】
図１４において、CPU７１は、ROM７２に記憶されているプログラム、または、記憶部７８からRAM(Random Access Memory)７３にロードされたプログラムに従って各種の処理を実行する。RAM７３にはまた、CPU７１が各種の処理を実行する上において必要なデータなどが適宜記憶される。
【０１４６】
CPU７１、ROM７２、およびRAM７３は、バス７４を介して相互に接続されている。このバス７４にはまた、入出力インタフェース７５も接続されている。
【０１４７】
入出力インタフェース７５には、キーボード、マウスなどよりなる入力部７６、LCDなどよりなる出力部７７、ハードディスクなどより構成される記憶部７８、ネットワークを介しての通信処理を行う通信部７９が接続されている。
【０１４８】
入出力インタフェース７５にはまた、必要に応じてドライブ８０が接続され、磁気ディスク、光ディスク、光磁気ディスク、或いは半導体メモリなどのリムーバブルメディア８１が適宜装着され、それから読み出されたコンピュータプログラムが、必要に応じて記憶部７８にインストールされる。
【０１４９】
一連の処理をソフトウェアにより実行させる場合には、そのソフトウェアを構成するプログラムが、専用のハードウェアに組み込まれているコンピュータ、または、各種のプログラムをインストールすることで各種の機能を実行することが可能な、例えば、汎用のパーソナルコンピュータなどにネットワークや記録媒体からインストールされる。
【０１５０】
この記録媒体は、図１４に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア８１により構成されるだけでなく、装置本体に予め組み込まれた状態でユーザに提供される、プログラムが記録されているROM７２や、記憶部７８に含まれるハードディスクなどで構成される。なお、コンピュータでディジタル放送受信機能を実現する場合は、上記に加え運用規定で定義される実装基準に準拠し、放送コンテンツ及びセキュリティ情報が容易に外に取り出せないよう、十分留意する必要がある。
【０１５１】
なお、本明細書において、各ステップは、記載された順序に従って時系列的に行われる処理はもちろん、必ずしも時系列的に処理されなくとも、並列的あるいは個別に実行される処理をも含むものである。
【０１５２】
また、本明細書において、システムとは、複数の装置により構成される装置全体を表すものである。
【符号の説明】
【０１５３】
１  放送局，  ２  携帯受信機，  ３  受信機，  ２１  制御部，  ４１  ディジタルコピー制御情報設定部，  ４２  コピー制御タイプ設定部，  ４３  セキュリティタイプ設定部，  ５１  CPU，  ５３  メモリ，  ５５  F/E部，  ５６  B/E部，  ５８  出力部，  ７１  サービスタイプ判定部，  ７２  ディジタルコピー制御記述子解析部，  ７３  記録／出力制御部
【図１】
2010268481.tif 000003
【図２】
2010268481.tif 000004
【図３】
2010268481.tif 000005
【図４】
2010268481.tif 000006
【図５】
2010268481.tif 000007
【図６】
2010268481.tif 000008
【図７】
2010268481.tif 000009
【図８】
2010268481.tif 000010
【図９】
2010268481.tif 000011
【図１０】
2010268481.tif 000012
【図１１】
2010268481.tif 000013
【図１２】
2010268481.tif 000014
【図１３】
2010268481.tif 000015
【図１４】
2010268481.tif 000016